(57)【要約】  ロール（１２）上に巻かれた洗浄布は印刷システム（１）の印刷シリンダー（２、３、４）を洗浄するのに使用される。洗浄布（１３）は洗浄液を極性化するように構成された極性添加剤を含む洗浄液に浸されるように構成される液体吸収可能な材料を含む。洗浄布（１３）のロール（１２）は、印刷シリンダーと接触しないアイドル位置と、カセットに含まれる洗浄布（１３）が洗浄される印刷シリンダーと接触しているアクティブ位置との間で移動可能である洗浄カセット（１０）に含まれる。【選択図】図１
2020507492.tif 000002
【特許請求の範囲】
【請求項１】
印刷システムの印刷シリンダーを洗浄する洗浄布のロールであって、前記洗浄布（１３）は、洗浄液に浸された液体吸収可能な材料を含み、前記洗浄液は、グリコール・エーテルまたは長鎖アルコールまたは両方を含む極性添加剤を含み、
前記極性添加剤は、洗浄液を極性化するように構成され、
前記洗浄布（１３）が、コア（１４）の周りに巻かれて前記ロール（１２）を形成する、ロール。
【請求項２】
前記極性添加剤は、１０−１６炭素原子を含む化合物である、請求項１のロール。
【請求項３】
前記長鎖アルコールは、１０−１６炭素原子を含む化合物である、請求項１のロール。
【請求項４】
前記洗浄液は、５０−９０ｍ／ｍ％の範囲の極性添加剤を含む、請求項１〜３のいずれか一項に記載のロール。
【請求項５】
前記洗浄布（１３）は、前記コア（１４）の周りに巻かれる前に前記洗浄液に浸される、請求項１〜４のいずれか一項に記載のロール。
【請求項６】
前記洗浄布（１３）は、前記コア（１４）の周りに巻かれた後に前記洗浄液に浸される、請求項１〜４のいずれか一項に記載のロール。
【請求項７】
前記ロール（１２）は、前記洗浄液が使用前に蒸発するのを防ぐために前記洗浄布（１３）のロール（１２）の周りを封止するように構成された除去可能な封止バッグ（１５）に介挿される、請求項１〜６のいずれか一項に記載のロール。
【請求項８】
前記洗浄布（１３）のロール（１２）は、前記バッグ（１５）に真空パックされる、請求項７のロール。
【請求項９】
請求項１〜８のいずれか一項に記載の洗浄布（１３）のロール（１２）をサポートするように構成された手段（１１）と、
使用された洗浄布（１３）が周りに巻き付けられるように構成された収集ローラー（１６）と、を備える洗浄カセット。
【請求項１０】
前記サポート手段は、前記収集ローラー（１６）から離間されかつ並列に形成されたシャフト（１１）である、請求項９に記載の洗浄カセット。
【請求項１１】
前記洗浄布（１３）を洗浄される印刷シリンダー（３）に対して押圧するように構成されたパッド（１７）をさらに備えた、請求項９または１０に記載の洗浄カセット。
【請求項１２】
請求項９〜１１のいずれか一項に記載の洗浄カセット（１０）を備える印刷システム。
【請求項１３】
前記洗浄カセット（１０）は、前記洗浄布（１３）がいずれの印刷シリンダーとも接触していないアイドル位置と、前記洗浄布（１３）が洗浄される印刷シリンダーと接触しているアクティブ位置との間で移動可能である、請求項１２に記載の印刷システム。
【請求項１４】
印刷シリンダー（２、３、４）と、インクローラー（５）と、ダンピングローラー（６）と、インク源（８）と、ダンピング源（９）と、を備える、請求項１２または１３に記載の印刷システム。
【請求項１５】
請求項９〜１１のいずれか一項に記載の洗浄カセット（１０）と、請求項１〜８のいずれか一項に記載の洗浄布（１３）のロール（１２）と、を含む手段により印刷システムの印刷シリンダーを洗浄する方法であって、前記方法は、洗浄液に浸された前記洗浄布（１３）の少なくとも一部を前記ロール（１２）から剥がすステップと、
前記洗浄布（１３）の少なくとも一部を洗浄されるシリンダー（３）に接触させるステップと、を備える、方法。
【請求項１６】
使用された洗浄布（１３）は、前記洗浄カセット（１０）に含まれる前記収集ローラー（１６）の周りに巻き付けられる、請求項１５に記載の方法。
【請求項１７】
前記洗浄カセット（１０）は、洗浄が実行されると、前記洗浄布（１３）がいずれの印刷シリンダーとも接触しないアイドル位置から、前記洗浄布（１３）が、洗浄される印刷シリンダー（３）に接触しているアクティブ位置へ移動される、請求項１５または１６記載の方法。
【請求項１８】
印刷システムの印刷シリンダーを洗浄するための洗浄布の使用であって、前記洗浄布は、グリコール・エーテルまたは長鎖アルコールまたは両方を備える洗浄液に浸される、印刷システムの印刷シリンダーを洗浄するための洗浄布の使用。
【発明の詳細な説明】
【技術分野】
【０００１】
この発明は印刷シリンダーを洗浄するための布(fabrics)並びに関連する洗浄装置および方法に関する。
【背景技術】
【０００２】
所望の印刷結果を満足させる印刷シリンダーで機能的な印刷プロセスを有することを可能にするために、これらの印刷シリンダーは多かれ少なかれしばしば洗浄しなければならない。多くの異なる洗浄方法、たとえば、シリンダー上に洗浄液をスプレーすることまたはある種の洗浄クロスにより１つずつシリンダーを洗浄する方法が過去に用いられてきた。この開示はある種の洗浄布を用いた洗浄方法に着目する。
【０００３】
１つの種類の洗浄布および洗浄方法は印刷機を洗浄するためのあらかじめ浸された洗浄布を用いた洗浄システムを開示する米国特許番号5,974,976から知られている。
あらかじめ浸された洗浄布はコアの周りに被覆保持され、密封(seal)が損傷して洗浄布が印刷機を洗浄しなければならなくなるまで洗浄能力を損なうことなく洗浄布が運ばれしまっておくことができるようにスリーブによって密封される。洗浄布は有機化合物溶剤に浸される。
【０００４】
所望の洗浄効果を得るために異なる種類の溶剤が試みられてきたが、今日使用されている化合物には問題がある。たとえば、印刷シリンダーが洗浄された後回転し再び印刷を開始すると、いわゆる調色(toning)が生じる。印刷された面の色分布が均一でない場合、調色は望ましくない印刷結果を生じる。プリンタがしばらくの間動作された後、調色は最終的に均一になるが、すでに印刷されたものは無駄になる。
【０００５】
ＷＯ２００５／１１３２４３Ａ１はある種の洗浄布を開示する。それは洗浄液として有機溶剤を組み合わせた洗浄布として不織布材料の使用を記載する。このＷＯ公報は低揮発性洗浄液の必要性と洗浄布の強度と耐摩耗性の重要性を説明する。それゆえ、そこに提示された既知の洗浄布は、たとえば、プリンタがしばしば洗浄する必要があり大量の材料を浪費しなければならない場合、非常に高価になり得る調色の問題の解決にはならない。
【０００６】
さらなる背景技術はたとえば、文献ＣＡ２０３９８９８Ａ、ＤＥ１０２００６０３９７３６Ａ１、ＥＰ０３４８６０９Ａ２，  ＥＰ２７３５４４６Ａ１，  ＵＳ５０３０２９２Ａ，  ＵＳ６２８４７２０Ｂ１およびＷＯ２００８／０３５１６８Ａ１に反映されている。
【０００７】
しかしながら、これらの公報はいずれも調色に関連する問題への解決を提示していない。したがって、改良の余地がある。
【発明の概要】
【０００８】
この発明の目的は従来技術に対する改良を提供することである。以下の説明から明らかになるこの目的および他の目的は、添付された独立クレームに定義された技術により達成される。ある実施形態が関連する従属クレームに記載される。
【０００９】
第１の態様において、印刷システムの印刷シリンダーを洗浄するためのローラーが提供される。洗浄布は、グリコール・エーテルまたは長鎖アルコールまたは両方を含む極性添加剤を備える洗浄液に浸された液体吸収性素材を備える。極性添加剤は洗浄液を極性化(polar)させるように構成される。洗浄布はコアの周りに包まれ(wrap)または巻き付けられ(wound)てローラーを形成する。極性洗浄液で浸された洗浄布を用いる利点は液体が容易に水に溶解し印刷プロセスの間有益であるということである。したがって水と一体化した洗浄プロセスからの残りの洗浄液は調色に関する問題を緩和し印刷の浪費を低減することにつながる。
【００１０】
望ましくは、極性添加剤は１０−１６カーボン原子を備えた化合物である。長鎖アルコールオプションが選択された場合、１０−１６カーボン原子化合物を使用することが望ましい。この構成の洗浄液で浸された洗浄布は特に有効である。また、洗浄液は５０−９０ｍ／ｍ％の範囲の極性添加剤を備えることが望ましい。
【００１１】
洗浄が生じる環境に依存して、洗浄布はローラーを形成するためにコアに包まれるまたは巻き付けられる前にまたは後で洗浄液に浸される。
【００１２】
一実施形態において、洗浄布のローラーは、洗浄液が使用する前に蒸発するのを防ぐためにロール(roll)の周りを封止するように構成された除去可能なシーリングバッグ(sealing bag)に介挿される。シーリングバッグは洗浄布が使用されるときに適切な動作を保証する。洗浄布のロールは望ましくはバッグに真空パックされる。
【００１３】
第２の態様において、上述した種類の洗浄布のロールを支持するように構成された手段と、周りに使用された洗浄布が包まれるまたは巻き付けられるように構成された収集ローラーを備えた洗浄カセットが提供される。このカセットは印刷システムに組み込むのが容易な小型で堅固なユニットを構成するので有益である。望ましくは、支持手段は回転可能な収集ローラーから離間されかつ平行な回転可能なシャフトである。
【００１４】
一実施形態において、洗浄カセットは、洗浄布がいずれの印刷シリンダーとも接触しないアイドル位置と、洗浄布が洗浄される印刷シリンダーと接触しているアクティブ位置との間で移動可能なように印刷システムに配置される。この設計によって、洗浄布は必要なときだけ洗浄接触するので効率的な洗浄動作が達成される。
【００１５】
洗浄カセットは洗浄される印刷シリンダーに対して洗浄布を押圧するように構成されたパッドを備えてもよい。これによって、洗浄されるシリンダーに対する洗浄布の好ましい押圧動作が達成される。パッドは洗浄されるシリンダーに対して洗浄布を押圧するのに適したパッド表面上に弾性部材を備えていてもよい。
【００１６】
第３の態様において、上述した種類の洗浄カセットであって望ましくはアイドル位置と洗浄位置との間で移動可能な洗浄カセットを備えた印刷システムが提供される。
印刷システムは印刷シリンダー、インクローラー、ダンピングローラー、インク源、およびダンピング源を備えていてもよい。それゆえ、この改良された印刷システムは効率的な洗浄機能を内蔵する。
【００１７】
第４の態様において、上述した設計の洗浄カセットによりおよび上述した洗浄布のロールを含むことにより印刷システムの印刷シリンダーを洗浄する方法が提供される。
この方法は、（１）洗浄液に浸された洗浄布の少なくとも一部をロールから剥がすステップと、および（２）前記洗浄布の少なくとも一部を、洗浄されるシリンダーと接触して載置するステップとを備える。この方法は、従来の技術で可能であったものよりもより効率的な方法で印刷シリンダーを洗浄することを可能にする。
【００１８】
望ましくは、使用された洗浄布は洗浄処理をスムーズかつ機能的にする洗浄カセットに含まれる収集ローラーの周りに巻き付けられる。
【００１９】
また、この洗浄方法に従って洗浄が行われるとき、洗浄カセットは、洗浄布がいずれの印刷シリンダーとも接触しないアイドル位置から、洗浄布が、洗浄される印刷シリンダーと接触するアクティブ位置に移動されることが望ましい。
【００２０】
第５の態様において、洗浄布がグリコール・エーテルまたは長鎖アルコールまたは両方を含む極性添加剤を含む洗浄液で浸された、印刷システムの印刷シリンダーを洗浄するための洗浄布を使用することが提案される。そのような布の使用は従来技術に対して改良された洗浄を保証する。
この発明の実施形態はどのように発明の概念を実施に要約され得るかの非限定例を説明する添付された概略図を参照して以下に記載される。
【図面の簡単な説明】
【００２１】
【図１】図１は一実施形態に従うシリンダーの機構と洗浄布を備えた洗浄カセットを備えた汎用印刷システムの断面図を示す。
【図２】図２は洗浄プロセスに使用する前の洗浄布のロールの断面図の拡大図を示す。
【図３】図３はシーリングバッグに真空パックされた、図２に示すロールの斜視図を図示する。
【図４】図４はシーリングバッグが部分的に除去された図３に示すロールを図示する。
【図５】図５は図１に示す印刷システムに含まれる洗浄カセットに拡大斜視図である。
【発明を実施するための形態】
【００２２】
図１を参照すると、多数の印刷シリンダーおよびローラー２、３、４、５、６を備えた汎用印刷ユニットまたはシステム１が示される。ここに記載された印刷システム１は圧胴２（図１左下の最も大きな印刷シリンダー）、ゴムシート（図示せず）を有するゴム胴３（圧胴の隣の中サイズのシリンダー）およびプレートシリンダー(plate cylinder)４（ゴム胴の隣の中サイズのシリンダー）を有する。印刷システム１はさらに多数のインクローラー５（ダンピングローラーではない小型のローラー）および多数のダンピングローラー６（右下の５つの小型サイズのローラー）を有する。インクローラー５のセットは、インクローラー５にインクを供給するインク源８と関連づけられている。ダンピングローラー６のセットはダンピング源、この場合にはダンピングローラー６に水を供給する水槽９に関連づけられている。
【００２３】
印刷システム１が印刷作業を実行すると、水は最初にダンピング源９からダンピングローラー６を介してシリンダーの方へ運ばれる。次に水はシリンダー２、３、４間に生じる非加圧面に存在する。第２に、インクは次にインクローラー５によってインク源８からシリンダー３、４、５の方へ運ばれる。次に印刷がゴム胴３に運ばれ、印刷を受ける素材(material)、例えば紙がゴム胴３と圧胴２との間に配置され、そこで印刷作業が行われ印刷がゴムシートから素材に運ばれる。本明細書に図示され記載されたシリンダーとローラーの機構は機構の一例に過ぎない。
【００２４】
多かれ少なかれしばしば印刷シリンダーは洗浄されなければならない。これは、洗浄クロスとも呼ばれる洗浄布１３、洗浄マシンまたはカセット１０により行われる。洗浄プロセスが始まる前に、洗浄ロール１２はパッケージまたはバッグ１５から取り出され（図４参照）洗浄カセット１０に載置される。
【００２５】
図２に示される洗浄ロール１２は、洗浄プロセスで使用されるまであらかじめパックされ格納される。図１および２に示すように、洗浄ロール１２は、洗浄布１３が包まれまたは巻き付けられる周囲にボビンまたはコア１４を含む。コア１４は非空洞または空洞であり得、任意の適切な素材、たとえば、プラスチック、紙または金属で形成可能である。それはまた異なる断面を持つこともでき、ここに記載される設計は円形の断面を有する。
【００２６】
洗浄布１３は、洗浄プロセスを開始する前に洗浄液に浸されるのに適した不織素材のような、液体または溶剤に吸収可能な素材から構成される。望ましくは、洗浄布１３はパックされおよび格納されるかまたは運ばれる前に洗浄液に浸される、すなわち洗浄布１３は洗浄プロセスで使用されるかなり前に浸すことができる。さらに、洗浄布１３はコア１４の周りに包まれるまたは巻き付けられる前または後に浸すことができる。
【００２７】
洗浄液は、洗浄液を極性化するように構成される極性添加剤または極性化合物を含む。
類似の極性を有する液体は互いに溶解するので極性添加剤は水溶性である。極性添加剤を洗浄液に加えることにより、この液体には結果として所望の極性能力が提供される。
この所望の特徴はさらに以下に説明される。
【００２８】
極性添加剤は、グリコール・エーテル、例えばブチル・エーテル、および／または長鎖アルコールを含む。長鎖アルコールは、望ましくは１０と１６炭素の間の炭素鎖を有するアルコールである。
【００２９】
さらに、洗浄液は、５０−９０ｗｔ％と表すこともできる５０−９０ｍ／ｍ％の範囲の極性添加剤を含む。明瞭にするために、液体の合計量に対する極性添加剤の量は５０−９０％である。
【００３０】
異なる能力を有する洗浄液の他の可能な化合物は洗浄力のための脂肪族炭化水素、洗浄力と蒸発を低減するための植物エステル、腐食を防止するための腐食防止剤、水を用いた乳化作用のための乳化剤であり得る。
【００３１】
水は極性液体なので、極性液体を用いる利点は水溶性だからである。非極性液体は水溶性ではなく、水と接触すれば、その表面に集まり水面の上に層を形成するであろう。
【００３２】
図１に示す印刷システムの洗浄プロセスの間、シリンダーは印刷プロセス中の方向に対して反対方向に回転される。したがって、今日既知の洗浄プロセスの場合である、洗浄プロセスの間に図１のゴム胴３に非極性液体が印加される場合、非極性洗浄液体はゴム胴３からプレートシリンダー４に移動し、さらにダンピングローラー６上にそして水槽９へと移動する。水槽９内にあるとき、非極性洗浄液は水の表面にある種の被膜または層を形成するであろう。洗浄プロセスの後に印刷プロセスが再開されると、シリンダーとローラーは洗浄プロセスの期間中の方向に対して逆方向に回転し始めるであろう。
これは、水と接触するローラー（単数または複数）９’は最初のときだけ水を他のローラーとシリンダーに運ばないであろう。非極性洗浄液もそうである。
【００３３】
印刷面上の非極性洗浄液の残留物は印刷された紙面に調色が生じる理由である。洗浄プロセスの後調色による廃棄量を低減するために、異なる種類の洗浄液が過去試されたが結果は芳しくなかった。しかしながら、この特許出願の発明者により行われたテストでは洗浄液が極性化されれば水槽９の水に溶解し、その結果低減された量の洗浄液がシリンダーに戻される状況を作ることを驚くほど示した。次に、このことが驚くことに調色による印刷された紙の量を低減する結果となった。極性洗浄液を作るためにグリコールまたは長鎖アルコールが記載された実施例では使用される。しかしながら、同様の所望の能力を有する洗浄液を提供するために使用されることができる他の適切な組成があり得、たとえば、グリコール・エーテルと長鎖アルコールの両方である。
【００３４】
図２−４に示すように、洗浄ロール１２は、使用する前にコア１４と洗浄布１３の周りを封止するように構成された除去可能で封止可能なバッグ１５に介挿される。洗浄布１３はしまわれるかまたは運ばれる前に洗浄液に浸されるので、洗浄布１３は洗浄プロセスにおいて使用されるとき洗浄液の適正な量を含むことが望ましい。バッグ１５は洗浄布１３に染み込んだ洗浄液が、洗浄デバイス１２の格納または転送の期間に蒸発することを防止するように設計される。
【００３５】
洗浄ロール１２は、バッグ１５が洗浄プロセスが開始される前に損傷するまで真空パックされる。望ましくは、バッグ１５はチューブ状であり、多層プラスチックフィルムにより構成される。このための適切なプラスチックフィルムは、流体バリアを提供するポリエチレン（ＰＥ）の第１層、強度を提供するポリアミド（ＰＡ）の第２の中間層および流体バリアを提供するポリエチレン（ＰＥ）の第３層に基づいた３層フィルムである、３層プラスチックフィルムは実用試験において望ましいことが証明された。封止フィルムの厚みは、図４に示すようにロール１２から除去することが容易であるように設計される。
【００３６】
図５において、図１の印刷システムに含まれる洗浄カセット１０は独立してかつより詳細に示される。カセット１０は横部材１０ｃにより相互接続された２つの離間された部材１０ａおよび１０ｂを含む。これらの部材１０ａ−ｃは洗浄カセット１０のフレームを形成する。
【００３７】
さらに、カセット１０は（図５に太字で示す）洗浄布１３のロール１２のコア１４をサポートするように構成される横シャフト１１の形状の取り付け手段を含む。中空コア１４はシャフト１１の外側に設けられた（図示しない）マッチング係合手段に係合するように構成された（図示しない）内部係合手段を有する。それゆえ、それにサポートされたシャフト１１とロール１２は一緒に回転可能である。論証を簡単にするために、ロール／コアアセンブリ１２／１４は図５に示していない。
【００３８】
カセット１０の自由横端部には洗浄されるシリンダーに対して洗浄布１３を押圧するように構成されるフロントパッド１７がある。その前面において、パッド１７は、洗浄されるシリンダーに対して適切な圧力で押圧するように作用する、望ましくはゴムの弾性部材の横エレメント１８を有する。延伸された弾性部材１８が、固定されるパッド１７の表面から多少突出している。
【００３９】
カセット１０はまた、シリンダーと洗浄接触した後使用された洗浄布１３でその周りが包まれる横戻りローラーまたは収集ローラー１６を含む。このように、洗浄プロセスの後、使用された洗浄布１３は容易に収集することができ操作することができる。シャフト１１と収集ローラー１６は離間され並列である。洗浄布１３の自由端は洗浄プロセスが開始される前にこのローラーに固定されるので、収集ローラー１６はまた巻き取り装置とも呼ばれる。
【００４０】
動作中、収集ローラー１６とシャフト１１は、望ましくは段階的に回転されるので洗浄布１３の未使用部位洗浄される回転シリンダーに印加される。この洗浄布１３の回転運動は図１の矢印により図式的に示される。ここに記載された実施形態において、収集ローラー１６は回転的に駆動されるので、洗浄布１３は、反対方向（図示せず）回転を阻止する手段を有してもよい回転シャフト１１によりサポートされるロール１２から離れて回転される。
【００４１】
図１の二重矢印によって示されるように、洗浄カセット１０は２つの位置間で移動可能である。アイドル位置において、洗浄カセット１０はシリンダーから距離を保ちかつシリンダーと接触しないように保持される。アクティブ位置（図１参照）において、洗浄カセット１０は洗浄される印刷シリンダー３と接触している。印刷システム１はアイドル位置とアクティブ位置との間で洗浄カセット１０の往復運動を実行する手段（図示せず）を含む。ある実施形態（図示せず）において、洗浄カセット１０は、印刷システムに含まれる種々のシリンダーを洗浄するために異なる方向にかつ異なる位置間に移動可能である。
【００４２】
それゆえ、洗浄機器は、洗浄ロール１２から、洗浄液にあらかじめ浸された、洗浄布１３の少なくとも一部を剥がすステップと、および洗浄布１３の少なくとも一部を洗浄されるシリンダー接触させるステップとを含む、洗浄ロール１２を備えた印刷システム１の印刷シリンダーを洗浄する方法に従って動作される。
【００４３】
ある態様と実施形態が以下に記載される。
印刷システムの印刷シリンダーを洗浄するための洗浄布は洗浄を開始する前に洗浄液に浸されるように構成される液体吸収可能な部材を備える。洗浄液は洗浄液を極性化するように極性添加剤を有する。極性洗浄液の利点は、印刷プロセス期間中重要な部分である、水と容易に混合することである。水と統合された洗浄プロセスからの残りの洗浄液は調色の問題を緩和し印刷の無駄を低減することにつながる。
【００４４】
一実施形態において、洗浄液は５０−９０ｍ／ｍ％の範囲の極性添加剤を備える。
その範囲の極性添加剤を含む洗浄液はその結果について驚くべき好ましい効果を有することを試験は示した。他の実施形態において、極性添加剤はグリコール・エーテルおよび／または長鎖アルコールを備える。また、これら２つの代替手段はその結果について驚くべき好ましい効果を有することが判明したことを試験は示した。
【００４５】
印刷システムの印刷シリンダーを洗浄するための洗浄デバイスは、洗浄を開始する前に洗浄液に浸されるように構成される液体吸収可能な材料を備える洗浄布を備える。洗浄液は洗浄液を極性化するように極性添加剤を備える。さらに、洗浄デバイスはその周りを洗浄布で包まれるコアを有する。記載した洗浄デバイスは上述したのと同じ利点を有するデバイスを提供する。
【００４６】
洗浄布はコアの周りに包まれる前またはコアの周りに包まれた後で洗浄液に浸されてもよい。これは浸された洗浄布の洗浄結果を変えることなく既存のアセンブリプロセスを容易にする。
【００４７】
さらに、洗浄布のロールは洗浄液が蒸発するの防ぐためにコアと洗浄布の周りを封止するように構成された除去可能で封止可能なバッグを備えてもよい。封止バッグを追加することにより洗浄デバイスは長時間しまっておくことができ、かつ洗浄プロセスの期間に同じ所望の洗浄結果を依然として提供することができる。
【００４８】
デバイスの格納をさらに改善するために、洗浄デバイスは真空パックしてもよい。
【００４９】
上述したように、洗浄デバイスを備えた印刷システムの印刷シリンダーを洗浄する方法も提供される。この方法は、洗浄液に浸された洗浄布の少なくとも一部を洗浄デバイスから剥がすステップと、および前記洗浄布の少なくとも一部を、洗浄されるシリンダーに接触させるステップを含む。
【００５０】
最後に、特定の実施形態を参照して発明の概念を上述したけれども、ここに記載された特定の形態に制限されることを意図するものではない。この発明は、添付された特許請求の範囲によってのみ限定され、上述した実施形態以外の他の実施形態もこの添付された特許請求の範囲内で等しく可能である。
【図１】
2020507492.tif 000003
【図２】
2020507492.tif 000004
【図３】
2020507492.tif 000005
【図４】
2020507492.tif 000006
【図５】
2020507492.tif 000007
【国際調査報告】
2020507492.tif 000008
2020507492.tif 000009
2020507492.tif 000010